(57)【要約】【課題】  ある項目に関する個数、件数、回数等、例えば、一般家庭における洗濯洗剤等のストック品の在庫数の管理を簡単確実に行える項目管理ボードを低コストで提供する。【解決手段】  ストック品管理ボード１は、横長の長方形状に形成されたボード本体２と、ボード本体２の表面に設けられ、書き換え可能にストック品の名称（「洗濯洗剤」、「ハンドソープ」等）を記入することができるストック品目記入欄３と、ボード本体２の表面に設けられ、ストック品目記入欄３に記入されるストック品の名称に対応する数の表示を、手動操作によって変更することができる数表示変更部４と、を備えている。【選択図】  図４
0003181473.tif 000002
【実用新案登録請求の範囲】
【請求項１】
ボード本体と、
前記ボード本体の表面に設けられ、書き換え可能に項目を記入することができる項目記入欄と、
前記ボード本体の前記表面に設けられ、前記項目記入欄に記入される前記項目に対応する数の表示を、手動操作によって変更することができる数表示変更部と、を備えた項目管理ボード。
【請求項２】
前記項目記入欄が複数設けられ、前記項目記入欄ごとに前記数表示変更部が設けられている、請求項１に記載の項目管理ボード。
【請求項３】
前記数表示変更部は、前記項目記入欄の上下左右いずれかに位置して設けられている、請求項１又は２に記載の項目管理ボード。
【請求項４】
前記数表示変更部は、視覚的に見える個数によって数を表す複数個のマークと、手動によるスライド操作によって前記複数個のマークのうちのいくつか又はすべてを視覚的に見え隠れさせるスライド部材と、を備えた、請求項１〜３のいずれか１項に記載の項目管理ボード。
【請求項５】
前記複数個のマークは、前記スライド部材上に設けられており、
前記複数個のマークのうちのいくつか又はすべては、前記スライド部材のスライド操作に伴って前記ボード本体内に入り込むことにより視覚的に見えなくなる、請求項４に記載の項目管理ボード。
【請求項６】
前記複数個のマークは、前記スライド部材とは別個に設けられており、
前記複数個のマークのうちのいくつか又はすべては、前記スライド部材のスライド操作に伴って前記スライド部材の下に隠れることにより視覚的に見えなくなる、請求項４に記載の項目管理ボード。
【請求項７】
前記数表示変更部は、視覚的に見える個数によって数を表す複数個のマークと、手動による回動操作によって前記複数個のマークのうちのいくつか又はすべてを視覚的に見え隠れさせるダイヤル部材と、を備えた、請求項１〜３のいずれか１項に記載の項目管理ボード。
【請求項８】
前記数表示変更部は、点灯している個数によって数を表す複数個の発光手段と、手動によるスイッチング操作によって前記複数個の発光手段のうちのいくつか又はすべてを点灯／消灯させるＯＮ／ＯＦＦスイッチと、を備えた、請求項１〜３のいずれか１項に記載の項目管理ボード。
【請求項９】
前記ＯＮ／ＯＦＦスイッチは、前記発光手段ごとに設けられている、請求項８に記載の項目管理ボード。
【請求項１０】
前記項目は、ストック品の名称である、請求項１〜９のいずれか１項に記載の項目管理ボード。
【請求項１１】
前記ボード本体の背面にマグネットが取り付けられた、請求項１〜１０のいずれか１項に記載の項目管理ボード。
【請求項１２】
前記ボード本体がホワイトボードからなる、請求項１〜１１のいずれか１項に記載の項目管理ボード。
【請求項１３】
前記項目記入欄及び前記数表示変更部に対応する部分をくりぬいて形成され、前記ボード本体に着脱可能に装着される着せ替えカバーをさらに備えた、請求項１〜１２のいずれか１項に記載の項目管理ボード。
【考案の詳細な説明】
【技術分野】
【０００１】
本考案は、ある項目に関する個数、件数、回数等、例えば、一般家庭における洗濯洗剤等のストック品の在庫数を管理するために使用される項目管理ボードに関する。
【背景技術】
【０００２】
従来、一般家庭における洗濯洗剤等のストック品の在庫数の管理は、ホワイトボードへのメモ等によって行われるのが一般的であった。
【０００３】
また、最近では、冷蔵庫内の在庫を手軽に確認可能な冷蔵庫在庫確認システムも提案されている（例えば、特許文献１参照）。特許文献１で提案されている冷蔵庫在庫確認システムによれば、各家庭に設置されている冷蔵庫内の在庫を、場所を選ばずに素早く正確に把握することが可能となり、重複購入の恐れがなくなる。
【先行技術文献】
【特許文献】
【０００４】
【特許文献１】特開２００７−２４００７１号公報
【考案の概要】
【考案が解決しようとする課題】
【０００５】
しかし、ストック品の在庫数の管理を、単にホワイトボードへのメモ等のみによって行うものにあっては、ストック品の在庫数を確実に管理することは困難であった。
【０００６】
また、特許文献１で提案されている冷蔵庫在庫確認システムは、冷蔵庫を無線伝送装置に接続して、冷蔵庫内の在庫をインターネット網により文字表示装置に配信するようにしたものであり、同様のシステムを、一般家庭における洗濯洗剤等のストック品の在庫数の管理に用いるにはコスト面で問題がある。
【０００７】
本考案は、従来技術における前記課題を解決するためになされたものであり、ある項目に関する個数、件数、回数等、例えば、一般家庭における洗濯洗剤等のストック品の在庫数の管理を簡単確実に行える項目管理ボードを低コストで提供することを目的とする。
【課題を解決するための手段】
【０００８】
前記目的を達成するため、本考案に係る項目管理ボードは、
（１）ボード本体と、前記ボード本体の表面に設けられ、書き換え可能に項目を記入することができる項目記入欄と、前記ボード本体の前記表面に設けられ、前記項目記入欄に記入される前記項目に対応する数の表示を、手動操作によって変更することができる数表示変更部と、を備えたことを特徴とする。
【０００９】
本考案において、項目記入欄は、枠線で囲まれていてもよく、単に項目を記入することができるスペースが確保されているだけであってもよい。また、項目記入欄は、例えば、ホワイトボード用マーカーを用いて書き換え可能に項目を記入することができるホワイトボードからなっていてもよく、タッチペンを用いて書き換え可能に項目を記入することができる電子ペーパー等からなっていてもよい。
【００１０】
本考案の項目管理ボードの（１）の構成によれば、ある項目に関する個数、件数、回数等の管理を簡単確実に行うことができる。例えば、項目記入欄にストック品の名称を記入しておき、ストック品を開封するごとに当該ストック品に対応する数表示変更部の数の表示を減らし、ストック品を新たに購入するごとに当該ストック品に対応する数表示変更部の数の表示を増やす手動操作を行うだけで、ストック品の在庫数の管理を簡単確実に行うことができる。また、本考案の項目管理ボードは、書き換え可能に項目を記入することができる項目記入欄を備えているため、いろいろな項目に関する個数、件数、回数等の管理を行うことができ、汎用性の高いものとなっている。また、本考案の項目管理ボードは、構成が簡単であるため、低コストで提供することができる。
【００１１】
前記本考案の項目管理ボードの（１）の構成においては、以下の（２）〜（１３）のような構成にすることが好ましい。
【００１２】
（２）前記項目記入欄が複数設けられ、前記項目記入欄ごとに前記数表示変更部が設けられている。
【００１３】
（３）前記数表示変更部は、前記項目記入欄の上下左右いずれかに位置して設けられている。
【００１４】
数表示変更部は手動操作を必要とするため、左利きのユーザーにとっては、当該数表示変更部が項目記入欄の左に位置して設けられている方が望ましく、右利きのユーザーにとっては、当該数表示変更部が項目記入欄の右に位置して設けられている方が望ましい。
【００１５】
（４）前記数表示変更部は、視覚的に見える個数によって数を表す複数個のマークと、手動によるスライド操作によって前記複数個のマークのうちのいくつか又はすべてを視覚的に見え隠れさせるスライド部材と、を備えている。
【００１６】
上記（４）の好ましい構成によれば、ある項目に関する個数、件数、回数等を、視覚に直接訴えるマークの個数によって確認することができるので、項目の管理がよりやりやすくなる。そして、この場合、マークの色を赤、黄色、オレンジ等の暖色系にすれば、視覚的に見えるマークの個数を確認しやすくなる。また、この場合、スライド部材をスライドさせるタッチ感において、気持ちの良いレスポンスが得られるようにすれば、スライド部材をスライドさせることが楽しみとなる。例えば、クリック板、クリックばね等を用い、スライド部材をマークの１個分スライドさせるごとにクリック感が得られるようにすることが考えられる。
【００１７】
（５）上記（４）において、前記複数個のマークは、前記スライド部材上に設けられており、前記複数個のマークのうちのいくつか又はすべては、前記スライド部材のスライド操作に伴って前記ボード本体内に入り込むことにより視覚的に見えなくなる。
【００１８】
（６）上記（４）において、前記複数個のマークは、前記スライド部材とは別個に設けられており、前記複数個のマークのうちのいくつか又はすべては、前記スライド部材のスライド操作に伴って前記スライド部材の下に隠れることにより視覚的に見えなくなる。
【００１９】
（７）前記数表示変更部は、視覚的に見える個数によって数を表す複数個のマークと、手動による回動操作によって前記複数個のマークのうちのいくつか又はすべてを視覚的に見え隠れさせるダイヤル部材と、を備えている。
【００２０】
上記（７）の好ましい構成によれば、上記（４）の好ましい構成の場合と同様、ある項目に関する個数、件数、回数等を、視覚に直接訴えるマークの個数によって確認することができるので、項目の管理がよりやりやすくなる。そして、この場合、マークの色を赤、黄色、オレンジ等の暖色系にすれば、視覚的に見えるマークの個数を確認しやすくなる。また、この場合、ダイヤル部材を回動させるタッチ感において、気持ちの良いレスポンスが得られるようにすれば、ダイヤル部材を回動させることが楽しみとなる。例えば、クリック板、クリックばね等を用い、ダイヤル部材をマークの１個分回動させるごとにクリック感が得られるようにすることが考えられる。
【００２１】
（８）前記数表示変更部は、点灯している個数によって数を表す複数個の発光手段と、手動によるスイッチング操作によって前記複数個の発光手段のうちのいくつか又はすべてを点灯／消灯させるＯＮ／ＯＦＦスイッチと、を備えている。
【００２２】
上記（８）の好ましい構成によれば、ある項目に関する個数、件数、回数等を、視覚に直接訴える点灯している発光手段の個数によって確認することができるので、項目の管理がよりやりやすくなる。発光手段としては、例えば、豆電球、発光ダイオード（ＬＥＤ）電球等を用いることができる。この場合、ＯＮ／ＯＦＦスイッチをスイッチング操作するタッチ感において、気持ちの良いレスポンスが得られるようにすれば、ＯＮ／ＯＦＦスイッチをスイッチング操作することが楽しみとなる。例えば、クリックばね等を用い、ＯＮ／ＯＦＦスイッチをスイッチング操作するごとにクリック感が得られるようにすることが考えられる。
【００２３】
（９）上記（８）において、前記ＯＮ／ＯＦＦスイッチは、前記発光手段ごとに設けられている。
【００２４】
（１０）前記項目は、ストック品の名称である。尚、本考案の項目管理ボードを自己管理ボードとして使用する場合には、前記項目は、例えば、営業獲得件数、遅刻回数等である。
【００２５】
（１１）前記ボード本体の背面にマグネットが取り付けられている。
【００２６】
上記（１１）の好ましい構成によれば、項目管理ボードを冷蔵庫等に貼り付けて使用することが可能となる。尚、ボード本体の背面にスタンドを取り付けて、卓上タイプにすることもできる。また、フック等を用いて、項目管理ボードを壁等に掛けるようにしてもよい。また、紐等を用いて、項目管理ボードを洗面所等につりさげるようにしてもよい。
【００２７】
（１２）前記ボード本体がホワイトボードからなる。
【００２８】
上記（１２）の好ましい構成によれば、項目記入欄に、ホワイトボード用マーカーを用いて書き換え可能に項目を記入することができる。また、この好ましい構成によれば、項目記入欄以外のエリアにもメモ書き等ができる等、利便性が向上する。
【００２９】
（１３）前記項目記入欄及び前記数表示変更部に対応する部分をくりぬいて形成され、前記ボード本体に着脱可能に装着される着せ替えカバーをさらに備えている。
【００３０】
上記（１３）の好ましい構成によれば、項目管理ボードのインテリア性を向上させることができる。この場合、数種類の色の着せ替えカバーを用意しておき、ユーザーの気分によって選べるようにしておくことが望ましい。また、風景画等を描いた着せ替えカバーを用いれば、項目管理ボードのインテリア性をさらに向上させることができる。
【考案の効果】
【００３１】
本考案によれば、ある項目に関する個数、件数、回数等、例えば、一般家庭における洗濯洗剤等のストック品の在庫数の管理を簡単確実に行える項目管理ボードを低コストで提供することができる。
【図面の簡単な説明】
【００３２】
【図１】図１は、本考案の第１の実施の形態における項目管理ボードの一例であるストック品管理ボードの構成を示す正面図である。
【図２】図２は、本考案の第１の実施の形態における項目管理ボードの一例であるストック品管理ボードの構成を示す背面図である。
【図３】図３は、図１のIII−III線断面図である。
【図４】図４は、本考案の第１の実施の形態における項目管理ボードの一例であるストック品管理ボードの使用例を示す正面図である。
【図５】図５は、本考案の第１の実施の形態における項目管理ボードの一例であるストック品管理ボードの他の構成を示す正面図である。
【図６】図６は、本考案の第１の実施の形態における項目管理ボードの一例であるストック品管理ボードのさらなる他の構成を示す正面図である。
【図７】図７は、本考案の第１の実施の形態における項目管理ボードの一例であるストック品管理ボードの数表示変更部の他の構成を示す正面図である。
【図８】図８は、本考案の第１の実施の形態における項目管理ボードの一例であるストック品管理ボードの数表示変更部のさらなる他の構成を示す正面図である。
【図９】図９は、本考案の第２の実施の形態における項目管理ボードの一例であるストック品管理ボードの構成を示す正面図である。
【図１０】図１０は、本考案の第２の実施の形態における項目管理ボードの一例であるストック品管理ボードのボード本体に装着して用いられる着せ替えカバーの構成を示す正面図である。
【図１１】図１１は、本考案の第２の実施の形態における項目管理ボードの一例であるストック品管理ボードのボード本体に装着して用いられる着せ替えカバーの構成を示す背面図である。
【図１２】図１２は、本考案の第２の実施の形態における項目管理ボードの一例であるストック品管理ボードの使用例を示す正面図である。
【図１３】図１３は、本考案の第３の実施の形態における項目管理ボードの一例である自己管理ボードの構成を示す正面図である。
【図１４】図１４は、本考案の第３の実施の形態における項目管理ボードの一例である自己管理ボードの使用例を示す正面図である。
【図１５】図１５は、本考案の第４の実施の形態における項目管理ボードの一例であるストック品管理ボードの構成を示す正面図である。
【図１６】図１６は、本考案の第４の実施の形態における項目管理ボードの一例であるストック品管理ボードの使用例を示す正面図である。
【図１７】図１７は、本考案の第４の実施の形態における項目管理ボードの一例であるストック品管理ボードの数表示変更部の他の構成を示す正面図である。
【図１８】図１８は、本考案の第５の実施の形態における項目管理ボードの一例であるストック品管理ボードの構成を示す正面図である。
【図１９】図１９は、本考案の第５の実施の形態における項目管理ボードの一例であるストック品管理ボードの使用例を示す正面図である。
【考案を実施するための形態】
【００３３】
以下、好適な実施の形態を用いて本考案をさらに具体的に説明する。但し、下記の実施の形態は本考案を具現化した例に過ぎず、本考案はこれに限定されるものではない。
【００３４】
［第１の実施の形態］
まず、本考案の第１の実施の形態における項目管理ボードの一例であるストック品管理ボードの構成について、図１〜図４を参照しながら説明する。
【００３５】
図１は、本考案の第１の実施の形態における項目管理ボードの一例であるストック品管理ボードの構成を示す正面図、図２は、当該ストック品管理ボードの構成を示す背面図、図３は、図１のIII−III線断面図、図４は、当該ストック品管理ボードの使用例を示す正面図である。
【００３６】
本実施の形態のストック品管理ボードは、ある程度まとめ買いしやすいもの（トイレットペーパー、洗濯洗剤、シャンプー、調味料、食用油、缶ビール等）の在庫品の数を管理するために使用されるものである。当該ストック品管理ボードは、洗面所、パントリー、物置等につりさげたり、冷蔵庫等にマグネットで貼り付けたりして使用される。
【００３７】
図１、図２、図４に示すように、本実施の形態のストック品管理ボード１は、横長の長方形状に形成されたボード本体２と、ボード本体２の表面に設けられ、書き換え可能にストック品の名称（「洗濯洗剤」、「ハンドソープ」等）を記入することができるストック品目記入欄３と、ボード本体２の表面に設けられ、ストック品目記入欄３に記入されるストック品の名称に対応する数の表示を、手動操作によって変更することができる数表示変更部４と、を備えている。ここで、ストック品目記入欄３は、枠線で囲まれている。
【００３８】
本実施の形態のストック品管理ボード１の構成によれば、ストック品目記入欄３にストック品の名称を記入しておき、ストック品を開封するごとに当該ストック品に対応する数表示変更部４の数の表示を減らし、ストック品を新たに購入するごとに当該ストック品に対応する数表示変更部４の数の表示を増やす手動操作を行うだけで、ストック品の在庫数の管理を簡単確実に行うことができる。さらに、本実施の形態のストック品管理ボード１は、書き換え可能にストック品の名称を記入することができるストック品目記入欄３を備えているため、いろいろなストック品の在庫数の管理を行うことができ、汎用性の高いものとなっている。また、本実施の形態のストック品管理ボード１は、構成が簡単であるため、低コストで提供することができる。すなわち、本実施の形態によれば、ストック品の在庫数の管理を簡単確実に行える汎用性の高いストック品管理ボード１を低コストで提供することができる。
【００３９】
ボード本体２の表面の上部には、書き換え可能にストック品のカテゴリー（「石鹸類」等）を記入することができるカテゴリー記入欄８と、書き換え可能に前回買い出し日（「2012/11/25」等）を記入することができる前回買い出し日記入欄９とが設けられている。このように、本実施の形態のストック品管理ボード１は、カテゴリーごとに用いるものとなっており、また、どのストック品がどれくらいの期間で消費されるかを管理できるものともなっている。
【００４０】
ボード本体２は、ホワイトボードからなっている。すなわち、本実施の形態におけるストック品管理ボード１のストック品目記入欄３、カテゴリー記入欄８、及び、前回買い出し日記入欄９は、ホワイトボード用マーカーを用いて書き換え可能にストック品の名称等を記入することができるホワイトボードからなっている。そして、このように、ボード本体２がホワイトボードからなっていれば、ストック品目記入欄３等以外のエリアにもメモ書き等ができる等、利便性が向上する。
【００４１】
ボード本体２には、その背面の四隅にマグネット１０が取り付けられている。そして、この構成によれば、ストック品管理ボード１を冷蔵庫等に貼り付けて使用することが可能となる。
【００４２】
ストック品目記入欄３は複数設けられており、ストック品目記入欄３ごとにその左に位置して数表示変更部４が設けられている。尚、ストック品目記入欄３及び数表示変更部４の個数は何ら限定されるものではないが、ボード本体２をＢ５サイズ等にする場合には、見やすいレイアウトを実現できるように８〜１０個程度であることが望ましい。
【００４３】
図１、図３に示すように、数表示変更部４は、視覚的に見える個数によって数を表す複数個のマーク５と、手動によるスライド操作によって複数個のマーク５のうちのいくつか又はすべてを視覚的に見え隠れさせるスライド部材７と、を備えている。この構成によれば、ストック品の在庫数を、視覚に直接訴えるマーク５の個数によって確認することができるので、ストック品の在庫数の管理がよりやりやすくなる。この場合、マーク５の色を赤、黄色、オレンジ等の暖色系にすれば、視覚的に見えるマーク５の個数を確認しやすくなる。また、この場合、スライド部材７をスライドさせるタッチ感において、気持ちの良いレスポンスが得られるようにすれば、スライド部材７をスライドさせることが楽しみとなる。例えば、クリック板、クリックばね等を用い、スライド部材７をマーク５の１個分スライドさせるごとにクリック感が得られるようにすることが考えられる。
【００４４】
複数個のマーク５は、スライド部材７上に設けられており、複数個のマーク５のうちのいくつか又はすべては、スライド部材７のスライド操作に伴ってボード本体２内に入り込むことにより視覚的に見えなくなる。
【００４５】
より具体的には、数表示変更部４は、以下のような構成を備えている。すなわち、図３に示すように、ボード本体２の表面には、各数表示変更部４に対応させて左右に長い長方形状の開口２２が穿設されている。ボード本体２内には、開口２２を挟んで左右一対の回転ロール１２が配置されており、当該左右一対の回転ロール１２には無端平ベルトからなるスライド部材７が張架されている。スライド部材７には、その長手方向に沿って等間隔に５個の丸穴１１が開けられている。また、ボード本体２内には、左右一対の回転ロール１２間に位置して、表面が赤色に塗られたベース材１３が配置されている。以上の構成により、ストック品管理ボード１の正面（図１参照）から、数表示変更部４の赤色のマーク５を目視によって確認することができる。また、スライド部材７には、その上面（正面側の面）に凸状のつまみ６が固着されている。そして、つまみ６を把持してスライド部材７を左右にスライドさせることにより（図１、図３中の矢印←→参照）、５個のマーク５のうちのいくつか又はすべてを、ボード本体２内に入り込ませて視覚的に見えなくしたり、ボード本体２内から出現させて視覚的に見えるようにしたりすることができる（以上のような構成の数表示変更部４を便宜上「キャタピラー式」と呼ぶ）。
【００４６】
尚、本実施の形態においては、ボード本体２の表面に、カテゴリー記入欄８と、前回買い出し日記入欄９とが設けられたストック品管理ボード１を例に挙げて説明したが、本考案は必ずしもこのような構成に限定されるものではない。例えば、カテゴリー記入欄８を設けずに、カテゴリーを問わず、あらゆるストック品の在庫数を１つのストック品管理ボードで管理することもできる。
【００４７】
また、本実施の形態においては、ボード本体２の背面にマグネット１０を取り付け、ストック品管理ボード１を冷蔵庫等に貼り付けて使用する場合を例に挙げて説明したが、本考案は必ずしもこのような構成に限定されるものではない。例えば、ボード本体２の背面にスタンドを取り付けて、卓上タイプにすることもできる。また、フック等を用いて、ストック品管理ボード１を壁等に掛けるようにしてもよい。さらには、紐等を用いて、ストック品管理ボード１を洗面所等につりさげるようにしてもよい。
【００４８】
また、本実施の形態においては、数表示変更部４がストック品目記入欄３の左に位置して設けられている場合を例に挙げて説明したが、本考案は必ずしもこのような構成に限定されるものではない。例えば、図５に示すストック品管理ボード１４のように、数表示変更部４はストック品目記入欄３の右に位置して設けられていてもよい。数表示変更部４は手動操作を必要とするため、左利きのユーザーにとっては、当該数表示変更部４がストック品目記入欄３の左に位置して設けられている方が望ましく、右利きのユーザーにとっては、当該数表示変更部４がストック品目記入欄３の右に位置して設けられている方が望ましい。また、数表示変更部４は、ストック品目記入欄３の上下いずれかに位置して設けられていてもよい。
【００４９】
また、本実施の形態においては、各ストック品目記入欄３がそれぞれ枠線で囲まれている場合を例に挙げて説明したが、本考案は必ずしもこのような構成に限定されるものではない。例えば、図６に示すストック品管理ボード１５のように、各ストック品目記入欄１６は、枠線で囲まれておらず、単にストック品の名称を記入することができるスペースが確保されているだけであってもよい。
【００５０】
また、本実施の形態においては、ストック品目記入欄３が、ホワイトボード用マーカーを用いて書き換え可能にストック品の名称を記入することができるホワイトボードからなっている場合を例に挙げて説明したが、本考案は必ずしもこのような構成に限定されるものではない。ストック品目記入欄３は、例えば、タッチペンを用いて書き換え可能にストック品の名称を記入することができる電子ペーパー等からなっていてもよい。
【００５１】
また、本実施の形態においては、図３に示すキャタピラー式の数表示変更部４を例に挙げて説明したが、本考案は必ずしもこのような構成に限定されるものではない。例えば、図７、図８に示す直線スライダー式の数表示変更部２６、３０を用いることもできる。
【００５２】
図７に示す数表示変更部２６は、視覚的に見える個数によって数を表す複数個のマーク５と、手動によるスライド操作によって複数個のマーク５のうちのいくつか又はすべてを視覚的に見え隠れさせるスライド部材２７と、を備えている。
【００５３】
複数個のマーク５は、スライド部材２７上に設けられており、複数個のマーク５のうちのいくつか又はすべては、スライド部材２７のスライド操作に伴ってボード本体２内に入り込むことにより視覚的に見えなくなる。
【００５４】
より具体的には、数表示変更部２６は、以下のような構成を備えている。すなわち、図７に示すように、ボード本体２の表面には、各数表示変更部４に対応させて左右に長い長方形状の開口（図示せず）が穿設されている。前記開口に沿って配置された長方形状のスライド部材２７には、その長手方向に沿って等間隔に５個の丸穴１１が開けられている。また、ボード本体２内には、スライド部材２７の下方に位置して、表面が赤色に塗られたベース材（図示せず）が配置されている。以上の構成により、ストック品管理ボードの正面から、数表示変更部２６の赤色のマーク５を目視によって確認することができる。スライド部材２７の左右両端部分は、それぞれボード本体２の表面に設けられたスライド部材収納部２８、２９に収納可能となっている。また、スライド部材２７には、その上面（正面側の面）に凸状のつまみ６が固着されている。そして、つまみ６を把持してスライド部材２７を左右にスライドさせることにより（図７中の矢印←→参照）、５個のマーク５のうちのいくつか又はすべてを、ボード本体２内（スライド部材収納部２８内）に入り込ませて視覚的に見えなくしたり、ボード本体２内（スライド部材収納部２８内）から出現させて視覚的に見えるようにしたりすることができる。
【００５５】
図８に示す数表示変更部３０は、視覚的に見える個数によって数を表す複数個のマーク５と、手動によるスライド操作によって複数個のマーク５のうちのいくつか又はすべてを視覚的に見え隠れさせるスライド部材３２と、を備えている。
【００５６】
複数個のマーク５は、スライド部材３２とは別個のマーク形成体３１上に設けられており、複数個のマーク５のうちのいくつか又はすべては、スライド部材３２のスライド操作に伴って当該スライド部材３２の下に隠れることにより視覚的に見えなくなる。
【００５７】
より具体的には、数表示変更部３０は、以下のような構成を備えている。すなわち、図８に示すように、ボード本体２の表面に固定された長方形状のマーク形成体３１上には、その長手方向に沿って等間隔に５個の赤色のマーク５が形成されている。長方形状のスライド部材３２は、マーク形成体３１上に摺動可能に設けられている。スライド部材３２の一端には凸状のつまみ６が固着されており、スライド部材３２の他端部分は、ボード本体２の表面に設けられたスライド部材収納部３３に収納可能となっている。そして、つまみ６を把持してスライド部材３２を左右にスライドさせることにより（図８中の矢印←→参照）、５個のマーク５のうちのいくつか又はすべてを、スライド部材３２の下に隠して視覚的に見えなくしたり、スライド部材３２の下から出現させて視覚的に見えるようにしたりすることができる。
【００５８】
［第２の実施の形態］
次に、本考案の第２の実施の形態における項目管理ボードの一例であるストック品管理ボードの構成について、図９〜図１２を参照しながら説明する。
【００５９】
図９は、本考案の第２の実施の形態における項目管理ボードの一例であるストック品管理ボードの構成を示す正面図、図１０は、当該ストック品管理ボードのボード本体に装着して用いられる着せ替えカバーの構成を示す正面図、図１１は、当該ストック品管理ボードのボード本体に装着して用いられる着せ替えカバーの構成を示す背面図、図１２は、当該ストック品管理ボードの使用例を示す正面図である。
【００６０】
本実施の形態のストック品管理ボードは、ある程度まとめ買いしやすいもの（トイレットペーパー、洗濯洗剤、シャンプー、調味料、食用油、缶ビール等）の在庫品の数を管理するために使用されるものである。当該ストック品管理ボードは、洗面所、パントリー、物置等につりさげたり、冷蔵庫等にマグネットで貼り付けたりして使用される。
【００６１】
図９、図１２に示すように、本実施の形態のストック品管理ボード１７は、横長の長方形状に形成されたボード本体２と、ボード本体２の表面に設けられ、書き換え可能にストック品の名称（「洗濯洗剤」、「ハンドソープ」等）を記入することができるストック品目記入欄３と、ボード本体２の表面に設けられ、ストック品目記入欄３に記入されるストック品の名称に対応する数の表示を、手動操作（図９中の矢印←→参照）によって変更することができる数表示変更部４と、を備えている。尚、数表示変更部４の構成は、上記第１の実施の形態のものと同じであるため、その説明は省略する。
【００６２】
本実施の形態のストック品管理ボード１７の構成によれば、ストック品目記入欄３にストック品の名称を記入しておき、ストック品を開封するごとに当該ストック品に対応する数表示変更部４の数の表示を減らし、ストック品を新たに購入するごとに当該ストック品に対応する数表示変更部４の数の表示を増やす手動操作を行うだけで、ストック品の在庫数の管理を簡単確実に行うことができる。さらに、本実施の形態のストック品管理ボード１７は、書き換え可能にストック品の名称を記入することができるストック品目記入欄３を備えているため、いろいろなストック品の在庫数の管理を行うことができ、汎用性の高いものとなっている。また、本実施の形態のストック品管理ボード１７は、構成が簡単であるため、低コストで提供することができる。すなわち、本実施の形態によれば、ストック品の在庫数の管理を簡単確実に行える汎用性の高いストック品管理ボード１７を低コストで提供することができる。
【００６３】
ボード本体２は、ホワイトボードからなっている。すなわち、本実施の形態におけるストック品管理ボード１７のストック品目記入欄３は、ホワイトボード用マーカーを用いて書き換え可能にストック品の名称等を記入することができるホワイトボードからなっている。
【００６４】
ストック品目記入欄３は複数設けられており、ストック品目記入欄３ごとにその左に位置して数表示変更部４が設けられている。尚、ストック品目記入欄３及び数表示変更部４の個数は何ら限定されるものではないが、ボード本体２をＢ５サイズ等にする場合には、見やすいレイアウトを実現できるように８〜１０個程度であることが望ましい。
【００６５】
図９〜図１２に示すように、本実施の形態のストック品管理ボード１７は、ボード本体２に着脱可能に装着される着せ替えカバー１８を備えている。着せ替えカバー１８は、ボード本体２よりも若干大きい横長の長方形状に形成されており、かつ、ストック品目記入欄３及び数表示変更部４に対応する部分をくりぬいて形成されている（ストック品目記入欄用穴１９、数表示変更部用穴２０）。着せ替えカバー１８の背面には、その四辺に沿って係止部２１が設けられており、当該係止部２１をボード本体２の背面側の縁部に被せることにより、着せ替えカバー１８をボード本体２に装着することができる。
【００６６】
本実施の形態のストック品管理ボード１７の構成によれば、ストック品目記入欄３及び数表示変更部４に対応する部分をくりぬいて形成され、ボード本体２に着脱可能に装着される着せ替えカバー１８をさらに備えていることにより、ストック品管理ボード１７のインテリア性を向上させることができる。この場合、数種類の色の着せ替えカバー１８を用意しておき、ユーザーの気分によって選べるようにしておくことが望ましい。また、風景画等を描いた着せ替えカバーを用いれば、項目管理ボードのインテリア性を、さらに向上させることができる。また、図９、図１２に示すように、着せ替えカバー１８の色と数表示変更部４のマーク３９の色を合わせることも、デザイン上好ましい。
【００６７】
尚、本実施の形態においては、ボード本体２がホワイトボードからなっている場合を例に挙げて説明したが、本考案は必ずしもこのような構成に限定されるものではない。本実施の形態のストック品管理ボード１７においては、ボード本体２に着せ替えカバー１８を装着するようにされているので、少なくともストック品目記入欄３がホワイトボードからなっていれば十分である。
【００６８】
また、本実施の形態においては、ストック品目記入欄３が、ホワイトボード用マーカーを用いて書き換え可能にストック品の名称を記入することができるホワイトボードからなっている場合を例に挙げて説明したが、本考案は必ずしもこのような構成に限定されるものではない。ストック品目記入欄３は、例えば、タッチペンを用いて書き換え可能にストック品の名称を記入することができる電子ペーパー等からなっていてもよい。
【００６９】
［第３の実施の形態］
次に、本考案の第３の実施の形態における項目管理ボードの一例である自己管理ボードの構成について、図１３、図１４を参照しながら説明する。
【００７０】
図１３は、本考案の第３の実施の形態における項目管理ボードの一例である自己管理ボードの構成を示す正面図、図１４は、当該自己管理ボードの使用例を示す正面図である。
【００７１】
本実施の形態の自己管理ボードは、例えば、企業で何か（営業獲得件数、遅刻回数等）の数を管理するために使用されるものである。当該自己管理ボードは、会社のデスクに立て掛けたりして使用される（卓上タイプ）。
【００７２】
図１３、図１４に示すように、本実施の形態の自己管理ボード２３は、ホワイトボードからなる横長の長方形状のボード本体２と、ボード本体２の表面に設けられ、自己の営業獲得件数、遅刻回数等の数の表示を、つまみ６の手動操作（図１３中の矢印←→参照）によって変更することができる数表示変更部２４と、を備えている。尚、数表示変更部２４の構成は、上記第１の実施の形態の数表示変更部４と同じであるため、その説明は省略する。また、自己管理項目（営業獲得件数、遅刻回数等）は、各数表示変更部２４の右横にホワイトボード用マーカーを用いて書き換え可能に記入することができる。
【００７３】
本実施の形態の自己管理ボード２３の構成によれば、各数表示変更部２４の右横に営業獲得件数、遅刻回数等の自己管理項目を記入しておき、営業を獲得等するごとに当該自己管理項目に対応する数表示変更部２４の数の表示を増やす等の手動操作を行うだけで、自己の管理を簡単に行うことができる。また、本実施の形態の自己管理ボード２３は、書き換え可能に自己管理項目を記入することができる自己管理項目記入欄を備えているため、いろいろな項目の管理を行うことができ、汎用性の高いものとなっている。また、本実施の形態の自己管理ボード２３は、構成が簡単であるため、低コストで提供することができる。すなわち、本実施の形態によれば、営業獲得件数、遅刻回数等の自己管理項目の管理を簡単に行える汎用性の高い自己管理ボード２３を低コストで提供することができる。
【００７４】
本実施の形態の自己管理ボード２３においては、複数個の数表示変更部２４がボード本体２の表面の左側上部に配置されており、ボード本体２の表面の右側及び下側のエリアに自由にメモ書き等ができるようにされている。このため、自己管理ボード２３を会社のデスクに立て掛けて使用する場合に、当該自己管理ボード２３を電話対応のメモ帳代わりとして使用することもできる。
【００７５】
本実施の形態の自己管理ボード２３において、数表示変更部２４のマーク２５は、自己管理項目ごとに色が異なっている。このため、マーク２５の色を見ただけで、どの自己管理項目の件数（回数）がどのくらいであるかを確認することも可能となる。
【００７６】
［第４の実施の形態］
次に、本考案の第４の実施の形態における項目管理ボードの一例であるストック品管理ボードの構成について、図１５、図１６を参照しながら説明する。
【００７７】
図１５は、本考案の第４の実施の形態における項目管理ボードの一例であるストック品管理ボードの構成を示す正面図、図１６は、当該ストック品管理ボードの使用例を示す正面図である。
【００７８】
本実施の形態のストック品管理ボードは、ある程度まとめ買いしやすいもの（トイレットペーパー、洗濯洗剤、シャンプー、調味料、食用油、缶ビール等）の在庫品の数を管理するために使用されるものである。当該ストック品管理ボードは、洗面所、パントリー、物置等につりさげたり、冷蔵庫等にマグネットで貼り付けたりして使用される。
【００７９】
図１５、図１６に示すように、本実施の形態のストック品管理ボード３４は、矩形状に形成されたボード本体４９と、ボード本体４９の表面に設けられ、書き換え可能にストック品の名称（「洗濯洗剤」、「ハンドソープ」等）を記入することができる円形状のストック品目記入欄３６と、ボード本体４９の表面に設けられ、ストック品目記入欄３６に記入されるストック品の名称に対応する数の表示を、手動操作によって変更することができる数表示変更部３５と、を備えている。
【００８０】
本実施の形態のストック品管理ボード３４の構成によれば、ストック品目記入欄３６にストック品の名称を記入しておき、ストック品を開封するごとに当該ストック品に対応する数表示変更部３５の数の表示を減らし、ストック品を新たに購入するごとに当該ストック品に対応する数表示変更部３５の数の表示を増やす手動操作を行うだけで、ストック品の在庫数の管理を簡単確実に行うことができる。さらに、本実施の形態のストック品管理ボード３４は、書き換え可能にストック品の名称を記入することができるストック品目記入欄３６を備えているため、いろいろなストック品の在庫数の管理を行うことができ、汎用性の高いものとなっている。また、本実施の形態のストック品管理ボード３４は、構成が簡単であるため、低コストで提供することができる。すなわち、本実施の形態によれば、ストック品の在庫数の管理を簡単確実に行える汎用性の高いストック品管理ボード３４を低コストで提供することができる。
【００８１】
ボード本体４９は、ホワイトボードからなっている。すなわち、本実施の形態におけるストック品管理ボード３４のストック品目記入欄３６は、ホワイトボード用マーカーを用いて書き換え可能にストック品の名称を記入することができるホワイトボードからなっている。そして、このように、ボード本体４９がホワイトボードからなっていれば、ストック品目記入欄３６以外のエリアにもメモ書き等ができる等、利便性が向上する。
【００８２】
ストック品目記入欄３６は複数設けられており、ストック品目記入欄３６ごとにその円周上に位置して数表示変更部３５が設けられている。尚、ストック品目記入欄３６及び数表示変更部３５の個数は何ら限定されるものではないが、ボード本体４９をＢ５サイズ等にする場合には、見やすいレイアウトを実現できるように４〜５個程度であることが望ましい。
【００８３】
数表示変更部３５は、視覚的に見える個数によって数を表す複数個のマーク５と、手動によるスライド操作によって複数個のマーク５のうちのいくつか又はすべてを視覚的に見え隠れさせるスライド部材３８と、を備えている。この構成によれば、ストック品の在庫数を、視覚に直接訴えるマーク５の個数によって確認することができるので、ストック品の在庫数の管理がよりやりやすくなる。そして、この場合、マーク５の色を赤、黄色、オレンジ等の暖色系にすれば、視覚的に見えるマーク５の個数を確認しやすくなる。また、この場合、スライド部材３８をスライドさせるタッチ感において、気持ちの良いレスポンスが得られるようにすれば、スライド部材３８をスライドさせることが楽しみとなる。例えば、クリック板、クリックばね等を用い、スライド部材３８をマーク５の１個分スライドさせるごとにクリック感が得られるようにすることが考えられる。
【００８４】
複数個のマーク５は、スライド部材３８とは別個のマーク形成体３７上に設けられており、複数個のマーク５のうちのいくつか又はすべては、スライド部材３８のスライド操作に伴ってスライド部材３８の下に隠れることにより視覚的に見えなくなる。
【００８５】
より具体的には、数表示変更部３５は、以下のような構成を備えている。すなわち、ボード本体４９の表面に固定された円弧状のマーク形成体３７上には、その長手方向に沿って等間隔に５個の赤色のマーク５が形成されている。円弧状のスライド部材３８は、マーク形成体３７上に摺動可能に設けられている。そして、スライド部材３８の外周縁を把持して当該スライド部材３８をマーク形成体３７に沿ってスライドさせることにより（図１５中の矢印←→参照）、５個のマーク５のうちのいくつか又はすべてを、スライド部材３８の下に隠して視覚的に見えなくしたり、スライド部材３８の下から出現させて視覚的に見えるようにしたりすることができる。
【００８６】
尚、本実施の形態においては、ストック品目記入欄３６が、ホワイトボード用マーカーを用いて書き換え可能にストック品の名称を記入することができるホワイトボードからなっている場合を例に挙げて説明したが、本考案は必ずしもこのような構成に限定されるものではない。ストック品目記入欄３６は、例えば、タッチペンを用いて書き換え可能にストック品の名称を記入することができる電子ペーパー等からなっていてもよい。
【００８７】
また、本実施の形態においては、５個のマーク５のうちのいくつか又はすべてを、視覚的に見えなくしたり視覚的に見えるようにしたりするために、円弧状のスライド部材３８を用いる場合を例に挙げて説明したが、本考案は必ずしもこのような構成に限定されるものではない。例えば、スライド部材３８の代わりに図１７に示すようなダイヤル部材４２を用いてもよい。
【００８８】
図１７に示す数表示変更部４０は、視覚的に見える個数によって数を表す複数個のマーク５と、手動による回動操作によって複数個のマーク５のうちのいくつか又はすべてを視覚的に見え隠れさせるダイヤル部材４２と、を備えている。この構成によれば、ストック品の在庫数を、視覚に直接訴えるマーク５の個数によって確認することができるので、ストック品の在庫数の管理がよりやりやすくなる。この場合、マーク５の色を赤、黄色、オレンジ等の暖色系にすれば、視覚的に見えるマーク５の個数を確認しやすくなる。また、この場合、ダイヤル部材４２を回動させるタッチ感において、気持ちの良いレスポンスが得られるようにすれば、ダイヤル部材４２を回動させることが楽しみとなる。例えば、クリック板、クリックばね等を用い、ダイヤル部材４２をマーク５の１個分回動させるごとにクリック感が得られるようにすることが考えられる。
【００８９】
複数個のマーク５は、ダイヤル部材４２とは別個のマーク形成体４１上に設けられており、複数個のマーク５のうちのいくつか又はすべては、ダイヤル部材４２の回動操作に伴って当該ダイヤル部材４２の下に隠れることにより視覚的に見えなくなる。
【００９０】
より具体的には、数表示変更部４０は、以下のような構成を備えている。すなわち、図１７に示すように、ボード本体４９の表面に固定された円形のマーク形成体４１の周縁部には、等間隔に５個の赤色のマーク５が形成されている。マーク形成体４１と略同一径の円板状のダイヤル部材４２は、マーク形成体４１と同心状に当該マーク形成体４１上に回動可能に配置されており、当該ダイヤル部材４２の周縁部には、円弧状の切欠き部４３が形成されている。そして、ダイヤル部材４２の外周縁を把持して当該ダイヤル部材４２を回動させることにより（図１７中の矢印←→参照）、５個のマーク５のうちのいくつか又はすべてを、ダイヤル部材４２の下に隠して視覚的に見えなくしたり、ダイヤル部材４２の下から出現させて視覚的に見えるようにしたりすることができる。尚、この場合、ストック品目記入欄４４は、数表示変更部４０の下等に設ければよい。
【００９１】
［第５の実施の形態］
次に、本考案の第５の実施の形態における項目管理ボードの一例であるストック品管理ボードの構成について、図１８、図１９を参照しながら説明する。
【００９２】
図１８は、本考案の第５の実施の形態における項目管理ボードの一例であるストック品管理ボードの構成を示す正面図、図１９は、当該ストック品管理ボードの使用例を示す正面図である。
【００９３】
本実施の形態のストック品管理ボードは、ある程度まとめ買いしやすいもの（トイレットペーパー、洗濯洗剤、シャンプー、調味料、食用油、缶ビール等）の在庫品の数を管理するために使用されるものである。当該ストック品管理ボードは、洗面所、パントリー、物置等につりさげたり、冷蔵庫等にマグネットで貼り付けたりして使用される。
【００９４】
図１８、図１９に示すように、本実施の形態のストック品管理ボード４５は、横長の長方形状に形成されたボード本体２と、ボード本体２の表面に設けられ、書き換え可能にストック品の名称（「洗濯洗剤」、「ハンドソープ」等）を記入することができるストック品目記入欄３と、ボード本体２の表面に設けられ、ストック品目記入欄３に記入されるストック品の名称に対応する数の表示を、手動操作によって変更することができる数表示変更部４６と、を備えている。ここで、ストック品目記入欄３は、枠線で囲まれている。
【００９５】
本実施の形態のストック品管理ボード４５の構成によれば、ストック品目記入欄３にストック品の名称を記入しておき、ストック品を開封するごとに当該ストック品に対応する数表示変更部４６の数の表示を減らし、ストック品を新たに購入するごとに当該ストック品に対応する数表示変更部４６の数の表示を増やす手動操作を行うだけで、ストック品の在庫数の管理を簡単確実に行うことができる。さらに、本実施の形態のストック品管理ボード４５は、書き換え可能にストック品の名称を記入することができるストック品目記入欄３を備えているため、いろいろなストック品の在庫数の管理を行うことができ、汎用性の高いものとなっている。また、本実施の形態のストック品管理ボード４５は、構成が簡単であるため、低コストで提供することができる。すなわち、本実施の形態によれば、ストック品の在庫数の管理を簡単確実に行える汎用性の高いストック品管理ボード４５を低コストで提供することができる。
【００９６】
ボード本体２は、ホワイトボードからなっている。すなわち、本実施の形態におけるストック品管理ボード４５のストック品目記入欄３は、ホワイトボード用マーカーを用いて書き換え可能にストック品の名称等を記入することができるホワイトボードからなっている。そして、このように、ボード本体２がホワイトボードからなっていれば、ストック品目記入欄３以外のエリアにもメモ書き等ができる等、利便性が向上する。
【００９７】
ストック品目記入欄３は複数設けられており、ストック品目記入欄３ごとにその左に位置して数表示変更部４６が設けられている。尚、ストック品目記入欄３及び数表示変更部４６の個数は何ら限定されるものではないが、ボード本体２をＢ５サイズ等にする場合には、見やすいレイアウトを実現できるように８〜１０個程度であることが望ましい。
【００９８】
数表示変更部４６は、点灯している個数によって数を表す複数個の発光ダイオード（ＬＥＤ）電球（発光手段）４７と、手動によるスイッチング操作によって複数個のＬＥＤ電球４７のうちのいくつか又はすべてを点灯／消灯させるＯＮ／ＯＦＦスイッチ４８と、を備えている。この構成によれば、ストック品の在庫数を、視覚に直接訴える点灯しているＬＥＤ電球４７の個数によって確認することができるので、ストック品の在庫数の管理がよりやりやすくなる。尚、この場合、ＯＮ／ＯＦＦスイッチ４８をスイッチング操作するタッチ感において、気持ちの良いレスポンスが得られるようにすれば、ＯＮ／ＯＦＦスイッチ４８をスイッチング操作することが楽しみとなる。例えば、クリックばね等を用い、ＯＮ／ＯＦＦスイッチ４８をスイッチング操作するごとにクリック感が得られるようにすることが考えられる。
【００９９】
ＯＮ／ＯＦＦスイッチ４８は、ＬＥＤ電球４７ごとに設けられている。
【０１００】
尚、本実施の形態においては、発光手段がＬＥＤ電球４７である場合を例に挙げて説明したが、本考案は必ずしもこのような構成に限定されるものではない。発光手段としては、例えば、豆電球等を用いることもできる。
【０１０１】
また、上記第１〜第５の実施の形態においては、項目記入欄（ストック品目記入欄）が複数設けられており、項目記入欄（ストック品目記入欄）ごとに数表示変更部が設けられている場合を例に挙げて説明したが、本考案の項目管理ボードは必ずしもこのような構成に限定されるものではない。項目記入欄（ストック品目記入欄）及び数表示変更部は、それぞれ少なくとも１個設けられていればよい。
【０１０２】
また、上記第１〜第５の実施の形態においては、項目管理ボードがストック品管理ボード又は自己管理ボードである場合を例に挙げて説明したが、本考案の項目管理ボードは必ずしもこのような用途に限定されるものではない。本考案の項目管理ボードは、何かのカウントに利用可能であり、人それぞれの使い方が広がることが期待される。
【産業上の利用可能性】
【０１０３】
本考案によれば、ある項目に関する個数、件数、回数等の管理を簡単確実に行える汎用性の高い項目管理ボードを低コストで提供することができる。従って、本考案の項目管理ボードは、例えば、一般家庭における洗濯洗剤等のストック品の在庫数を管理するために使用されるストック品管理ボードとして有用である。
【符号の説明】
【０１０４】
１、１４、１５、１７、３４、４５  ストック品管理ボード（項目管理ボード）
２、４９  ボード本体
３、１６、３６、４４  ストック品目記入欄（項目記入欄）
４、２４、２６、３０、３５、４０、４６  数表示変更部
５、２５、３９  マーク
６  つまみ部
７、２７、３２、３８  スライド部材
８  カテゴリー記入欄
９  前回買い出し日記入欄
１０  マグネット
１１  丸穴
１２  回転ロール
１３  ベース材
１８  着せ替えカバー
１９  ストック品目記入欄用穴
２０  数表示変更部用穴
２１  係止部
２２  開口
２３  自己管理ボード（項目管理ボード）
２８、２９、３３  スライド部材収納部
３１、３７、４１  マーク形成体
４２  ダイヤル部材
４３  切欠き部
４７  ＬＥＤ電球（発光手段）
４８  ＯＮ／ＯＦＦスイッチ
【図１】
0003181473.tif 000003
【図２】
0003181473.tif 000004
【図３】
0003181473.tif 000005
【図４】
0003181473.tif 000006
【図５】
0003181473.tif 000007
【図６】
0003181473.tif 000008
【図７】
0003181473.tif 000009
【図８】
0003181473.tif 000010
【図９】
0003181473.tif 000011
【図１０】
0003181473.tif 000012
【図１１】
0003181473.tif 000013
【図１２】
0003181473.tif 000014
【図１３】
0003181473.tif 000015
【図１４】
0003181473.tif 000016
【図１５】
0003181473.tif 000017
【図１６】
0003181473.tif 000018
【図１７】
0003181473.tif 000019
【図１８】
0003181473.tif 000020
【図１９】
0003181473.tif 000021